(57)【要約】      （修正有）【課題】薄手の紙葉類が重なっている物品を一枚ずつ捲る際に、主に用いる親指への水分付与を可能にし、小型軽量で衛生的な個人用の携帯型指先濡らし具を提供する。【解決手段】指濡らし具は、含水したスポンジ３とスポンジ３の保水力を補完および固定し、スポンジ３と圧接する別のスポンジを収納したベース１上部に、スプリングによる開閉機能を有した滑動式カバー２を備えている。親指を濡らす際は、濡らそうとする側の手でベース１を持ち、その手の親指先でカバー２の凹部１０を押し込み移動させる。その際、親指腹部はカバー２を押し込む動作中にスポンジ３の表面に触れて、指を濡らすことが可能である。また、指濡らしを終了すると、スプリングの伸張力によりカバー２はスポンジ３の表面を覆い表面の渇きの抑制及び衛生保持を可能とする。このスポンジ３は容易に含水や交換が可能である。また、ベース１の端部に設けた穴９と紐材１２により、多彩な装着を可能にした。【選択図】図２
0003231970.tif 000002
【実用新案登録請求の範囲】
【請求項１】
含水したスポンジを収納したベース上部に、スプリングで平行に後戻りする開閉機能を有した滑動式カバーを備えていることを特徴とする指先濡らし具。
【請求項２】
含水したスポンジを収納したベース上部に、スプリングで平行に後戻りする開閉機能を有した滑動式カバーを備え、該カバーの上面には前記スプリングを収納する溝と、スプリングが溝から外れないようにする長方形状のスプリングカバー用の溝とを設け、前記ベースの前部に前記スプリングの片端を支持するスプリング受けを設け、指先により前記カバーを押し込んだ状態で、該指先の腹部が前記スポンジに触れ濡らし、前記指を前記カバーから離すとカバーは前記スプリングの伸長力により平行移動し、前記ベースを閉じることを特徴とする請求項１記載の指先濡らし具。
【請求項３】
不使用時には前記カバーは前記ベースの前記スポンジを覆い、前記スポンジの渇きを抑制し、衛生保持することを特徴とする請求項１または２記載の指濡らし具。
【請求項４】
前記ベースの端部に設けた穴と紐材により、首掛けや、ハンドバッグや自身の腰ベルトに装着したりすることを可能にし、個人が容易に持ち運べる携帯型にしたことを特徴とする請求項１ないし請求項３のいずれかに記載の指濡らし具。
【考案の詳細な説明】
【技術分野】
【０００１】
本考案は指先濡らし具に関し、詳しくは、例えば紙幣、薄手の紙、薄手のポリ袋等多数重ねられた物品を一枚ずつ捲る際に適する指先濡らし具に関するものである。
【背景技術】
【０００２】
例えば紙幣、薄手の紙、ポリ袋等が多数重ねられている物品を一枚ずつ指で捲り、その枚数を確認する際には簡略な構成の基に容易に湿潤化し得る用具が要請される。
【先行技術文献】
【特許文献】
【０００３】
【特許文献１】実用新案登録第３２２８０３２号
【特許文献２】特開２００６−１５０９３３
【考案の概要】
【考案が解決しようとする課題】
【０００４】
従来の指先濡らし具（特許文献１）は含水したスポンジ片を保持する挿入引き出し板と、引き出し板におけるスポンジ片領域を挿脱可能に収容する濡らし具保持体と、濡らし具保持体から突出する挿入引き出し板の一部に設けた紐材からなる掛け止め材を有することを特徴としている。使用者は濡らし具保持体を片手で持ち、挿入引き出し板を他方の手指で含水したスポンジ片が露出状態なるよう引き出し、他方の手の親指、人差し指の指先をスポンジ片に接触させる。
【０００５】
従来の指先濡らし具（特許文献２）は上面を開放状とする容器に貝殻焼成カルシュウムの微粉末を水に溶解した水溶液を充填して、ボール状体を収納し蓋体によりボール状体を上部より圧接して、この蓋体の略中央に円形状の穴を設け、その穴からボール状体の一部が円弧状に突出して回転可能に形成されている。また、このボール状体は容器の底面に計量カップを兼ねた受け部に載置されている。
【０００６】
従来の指先濡らし具（特許文献１）では使用者は、指先濡らし具保持体を片手で持ち、挿入引き出し板を他方の手指で含水したスポンジ片が露出状態になるように引出し、他方の手の親指、人差し指の指先をスポンジ片に接触させる。このように、片方の指先をスポンジ片で濡らす場合でも他方の手を添えて行う為両手が同時に必要となる弱点がある。
【０００７】
従来の指先濡らし具（特許文献２）では使用者は指先濡らし具を安定した場所に置いて、上面の中央に突出し水溶液を充填したボール状体の表面に指先や切手類を接触させることで濡らすこと出来る。しかし、この指先濡らし具は安定した設置場所が必要となり郵便局、スーパーマーケット等不特定多数が使用可能な設置場所では、感染症の拡散等、衛生面の不安がある。
【０００８】
本考案は、前記従来の指先濡らし具の事情に鑑みてなされたものであり、例えば紙幣、本、ポリ袋等のように薄手の紙葉類が多数重ねられている物品を一枚ずつ捲る際に、片手で用いて親指の好適な指先濡らしを可能にし、小型軽量で衛生面に優れた個人用の携帯型指先濡らし具を提供するものである。
【課題を解決するための手段】
【０００９】
含水した複数のスポンジを収納したベース上部に、スプリングで平行に後戻りする開閉機能を有した滑動式カバーを備えていることを特徴としている。
【００１０】
指濡らしをする場合、片手親指先によりカバーを押し込み、その動作で親指腹部はスポンジに触れ好適に濡れる位置と高さに設けている。指濡らし動作を終了するとカバーは内蔵するスプリングの伸長力により平行移動し、カバーストッパーの位置に戻り止まる。所定の位置に戻ったカバーはスポンジを覆い、スポンジの渇きを抑制し、スポンジの衛生保持を可能とした。
【００１１】
ベースの端部に設けた穴と紐材により、首掛けや、ハンドバッグや自身の腰ベルトに装着したりすることを可能にし、個人が容易に持ち運べる携帯型にした。
【考案の効果】
【００１２】
請求項１の考案は、含水した複数のスポンジを収納したベース上部に、スプリングで平行に後戻りする開閉機能を有した滑動式のカバーを備えていることを特徴としている。
【００１３】
請求項２の考案は、指濡らしをする場合、片手親指先によりカバーを押し込み、その動作で親指腹部はスポンジに触れ好適に濡れる。指濡らし動作を終了するとカバーは内蔵するスプリングの伸長力により平行移動し、カバーストッパーの位置に戻り止まる。
【００１４】
請求項３の考案は、所定の位置に戻ったカバーはスポンジを覆い、スポンジの渇きを抑制し、スポンジの衛生保持を可能とした。指を濡らすスポンジは渇いた場合、汚れた場合、破損した場合には容易に含水や交換出来ることを特徴としている。
【００１５】
請求項４の考案はベースの端部に設けた穴と紐材により、首掛けや、ハンドバッグや自身の腰ベルトに装着したりすることを可能にし、個人が容易に持ち運べる携帯型にしたことが最も主要な特徴である。
【図面の簡単な説明】
【００１６】
【図１】図１は、本考案の実施例に係る指先濡らし具全体を示す概略斜視図である。
【図２】図２は、本考案の実施例に係る指先濡らし具のカバーをスライドさせた状態を示す斜視図である。
【図３】図３は、本考案の実施例に係る指先濡らし具のカバーを親指でスライドさた状態を示す斜視図（使用状態）である。親指を仮想線で追加している。
【図４】図４は、本考案の実施例に係る指先濡らし具の概略断面図である。
【図５】図５は、本考案の実施例に係る指先濡らし具の部品構成を示す分解図である。
【図６】図６は、本考案の実施例に係る指先濡らし具の下ケースの外観と断面図である。
【図７】図７は、本考案の実施例に係る指先濡らし具のカバー外観と断面図である。
【考案を実施するための形態】
【００１７】
本考案は、前記事情に鑑みてなされたものである。そこで、本考案における課題は、紙幣、本、ポリ袋等のように薄手の紙葉類が多数重ねられている物品を一枚ずつ捲る際に問題となる指先の乾燥であるとした。加えて、本考案の目的は、上記のような状況での指先の乾燥を解決することとした。これらに対し、含水した複数のスポンジを収納したベース、及びこのスポンジを覆い乾燥を抑制するための滑動式カバーを備えた構成により解決し、目的の実現を図った。本考案では親指を濡らすために、まず片手親指先でカバーを押し込む。するとその動作で親指腹部はスポンジに触れることで好適に濡れ、目的が実現する。この指先を濡らすためのスポンジの表面は、不使用時はカバーにより覆われておりスポンジの乾きを抑制すると同時にスポンジの衛生保持を可能にする構造である。この構造は感染症等の予防に大いに貢献できる。また指を濡らすスポンジは渇いた場合は含水したり、汚れた場合や破損した場合には容易に交換したりすることができる。さらには、形状を小型・軽量化し、且つ、ベース部に紐材を設けたことで、首に掛かけて携帯したり、ハンドバッグや自身の腰ベルトに装着したりでき、個人が容易に持ち運べる携帯型とすることもできる。  
【実施例】
【００１８】
以下に図面を参照して、本考案の実施例に係る指先濡らし具について詳細に説明する。
【００１９】
図１は本考案の実施例に係る指先濡らし具全体の外観を示し、図２は指先を濡らす際にカバーをスライドさせた状態を示す。図３は指先濡らし具の上に親指を乗せた使用例を示す概略図、図４は指先濡らし具の概略断面図である。図５は指先濡らし具の各部品の構成を示す。図６は楕円形のベース１の外観詳細と断面を示し、図７はベース１と同様な形状のカバー２の外観詳細と断面を示す。
【００２０】
この指先濡らし具は、含水し湿潤状態とした丸形形状のスポンジ３と台形を組み合わせた形状のスポンジ４とを収納するベース１にスポンジ３、スポンジ４を保持するための円形の穴の開いたスポンジカバー５を備える。スポンジカバー５の上面中央部には指を濡らす目的の円形の穴を備え、指がスポンジ３に触れることを可能にしている。ベース１の左右縁上部にはスポンジカバー５とで構成したカバー２の平行移動をガイドする溝１ａ、溝１ｂを備えている。カバー２の下部にはベース１の溝１ａ、溝１ｂに勘合するための突起２ａ、突起２ｂを有している。
【００２１】
親指を濡らす場合、片手親指の先端でカバー２の凹部１０を押し込むことで含水していて湿潤状態のスポンジ３が露出する。すると親指腹部がスポンジ３に触れ、親指腹部を適度に濡らすことができる。
【００２２】
スポンジ３に隣接するスポンジ４は、スポンジ３の保水力を補完および固定する目的でスポンジ３と圧接して配置している。そのため、スポンジ４の交換は不可能である。
【００２３】
スポンジ３は渇いた場合、個別に容易に取り外し含水することができる。また、汚れたり破損したりした場合は、交換することができる。
【００２４】
ベース１の端部に楕円形の穴９に多彩な紐材を設けたことで、首掛けや、ハンドバッグや自身の腰ベルトに装着することが可能となり、個人が容易に持ち運べる携帯型とした。
【００２５】
ベース１の説明
前述したベース１は、含水したスポンジ３及びスポンジ４の保持を目的としている。また、ベース１には左右縁上部にスポンジカバー５とで構成したカバー２の平行移動をガイドするための溝１ａ、溝１ｂを備えている。加えて、ベース１には平行移動するカバー２の位置復元を促すスプリング７の片端を支持するスプリング受け１１、含水したスポンジ３、スポンジ４を所定の場所に保持するためのスポンジカバー５、携帯を容易にするための紐掛け用の穴９も備わっている。
【００２６】
カバー２の説明
含水したスポンジ３、スポンジ４の表面乾燥を抑制するためのカバー２には、下面にベース１の上を平行移動するためのガイド用突起２ａ、突起２ｂを設けた。また、カバー２の上面にはスライドするカバーの位置復元を促すスプリング７を収納する溝２ｃと、スプリング７が溝から外れないようにする長方形状のスプリングカバー８用の溝２ｄを設けた。これはスプリング７を溝２ｃに収納後、スプリングカバー８を固着させるためのものである。さらに、カバー２の片端には、指を濡らす際にカバー２を指で押し込み移動させるための指押し当て用凹部１０を備えている。この他端には、カバー２の基準位置を定めるための突起の付いた円形状のカバーストッパー６を設けた。
【符号の説明】
【００２７】
１    ベース
１ａ  ガイド用溝  
１ｂ  ガイド用溝          
２    カバー
２ａ  ガイド用突起
２ｂ  ガイド用突起
２ｃ  プリング収納溝
２ｄ  スプリングカバー取付溝    
３    スポンジａ  
４    スポンジｂ  
５    スポンジカバー
６    カバーストッパー        
７    スプリング        
８    スプリングカバー
９    ケース１の紐かけ穴
１０  カバー２の溝
１１  スプリング受け
１２  紐
【図１】
0003231970.tif 000003
【図２】
0003231970.tif 000004
【図３】
0003231970.tif 000005
【図４】
0003231970.tif 000006
【図５】
0003231970.tif 000007
【図６】
0003231970.tif 000008
【図７】
0003231970.tif 000009